(57)【要約】【課題】  非常に多数の録画番組が保存されている場合でも、再生する録画番組を効率良く探し出すことの出来る録画番組管理装置を提供する。【解決手段】  複数のリスト枠を表示して各リスト枠の中に各録画番組の情報を表示するとともに、シリーズ識別情報に基づき同一シリーズの複数の録画番組が存在する場合に、これら複数の録画番組の情報を集約して１つのリスト枠に表示し、且つ、このリスト枠を三次元的に複数のリスト枠を重ねた多重表示態様にする第１リスト表示画面と、同一シリーズの複数の録画番組の情報の各々を個々のリスト枠に表示し、且つ、これらのリスト枠を三次元的に複数のリスト枠を重ねた多重表示態様にする第２リスト表示画面とを生成可能な構成とした。【選択図】        図４
2007180966.tif 000002
【特許請求の範囲】
【請求項１】
録画した放送番組の番組情報に基づいて録画番組の情報を選択可能な状態で表示させる表示制御手段を備えた録画番組管理装置であって、
前記番組情報には、放送番組が何れかのシリーズ番組に属しているか、および、何のシリーズ番組に属しているかを識別するシリーズ識別情報が含まれ、
前記表示制御手段は、
横長の複数のリスト枠を縦方向に並べて各リスト枠の中に各録画番組の情報を表示する第１表示枠と、
この第１表示枠の上側に配置され選択された前記リスト枠の録画番組の詳細情報が表示される第２表示枠と、
前記第１表示枠の右側に配置され前記リスト枠が選択決定されたときにさらに選択可能となる複数の操作ボタンが表示される第３表示枠とを生成するとともに、
前記シリーズ識別情報に基づき同一シリーズの複数の録画番組が存在する場合に、これら複数の録画番組の情報を集約して前記第１表示枠の１つの前記リスト枠に表示させ、且つ、このリスト枠を三次元的に複数のリスト枠を重ねた多重表示態様にする第１リスト表示画面と、同一シリーズの複数の録画番組の情報の各々を前記第１表示枠の個々の前記リスト枠に表示させ、且つ、これらのリスト枠を三次元的に複数のリスト枠を重ねた多重表示態様にする第２リスト表示画面とを、それぞれ生成可能であり、
前記第３表示枠には、
選択決定された前記多重表示態様のリスト枠の録画番組に対して同一シリーズの複数の録画番組の一括削除を指令する操作ボタンと、
前記第１リスト表示画面と前記第２リスト表示画面との切り換えを指令する操作ボタンと、
が表示されることを特徴とする録画番組管理装置。
【請求項２】
録画した放送番組の番組情報に基づいて録画番組の情報を選択可能な状態で表示させる表示制御手段を備えた録画番組管理装置であって、
前記番組情報には、放送番組が何れかのシリーズ番組に属しているか、および、何のシリーズ番組に属しているかを識別するシリーズ識別情報が含まれ、
前記表示制御手段は、
複数のリスト枠を表示して各リスト枠の中に各録画番組の情報を表示するとともに、
前記シリーズ識別情報に基づき同一シリーズの複数の録画番組が存在する場合に、これら複数の録画番組の情報を集約して１つの前記リスト枠に表示させ、且つ、このリスト枠を三次元的に複数のリスト枠を重ねた多重表示態様にする第１リスト表示画面を生成可能であることを特徴とする録画番組管理装置。
【請求項３】
録画した放送番組の番組情報に基づいて録画番組の情報を選択可能な状態で表示させる表示制御手段を備えた録画番組管理装置であって、
前記番組情報には、放送番組が何れかのシリーズ番組に属しているか、および、何のシリーズ番組に属しているかを識別するシリーズ識別情報が含まれ、
前記表示制御手段は、
複数のリスト枠を表示して各リスト枠の中に各録画番組の情報を表示するとともに、
前記シリーズ識別情報に基づき同一シリーズの複数の録画番組が存在する場合に、これら複数の録画番組の情報の各々を個々の前記リスト枠に表示させ、且つ、これらのリスト枠を三次元的に複数のリスト枠を重ねた多重表示態様にする第２リスト表示画面を生成可能であることを特徴とする録画番組管理装置。
【請求項４】
請求項２および請求項３に記載の録画番組管理装置であって、
前記第１リスト表示画面と前記第２リスト表示画面とを選択的に切換え可能としたことを特徴とする録画番組管理装置。
【請求項５】
前記第１リスト表示画面において前記多重表示態様のリスト枠が選択されてカーソル操作が行われた場合に、該リスト枠の情報が同一シリーズ中の他の録画番組の情報に切り換えられていくことを特徴とする請求項２又は４に記載の録画番組管理装置。
【請求項６】
前記第２リスト表示画面において前記多重表示態様のリスト枠が選択されて所定の操作がなされた場合に、選択された録画番組と同一シリーズの録画番組の情報のみが抽出されて前記複数のリスト枠に表示されるリスト表示に切り換えられることを特徴とする請求項３又は４に記載の録画番組管理装置。
【請求項７】
前記第１リスト表示画面または前記第２リスト表示画面において、前記多重表示態様のリスト枠の中にシリーズ番組の通し番号の情報表示がなされることを特徴とする請求項４〜６の何れかに記載の録画番組管理装置。
【請求項８】
前記第１リスト表示画面または前記第２リスト表示画面は、
横長の前記リスト枠が縦方向に複数並べられた第１表示枠と、
この第１表示枠の上側に配置され選択された前記リスト枠の録画番組の詳細情報が表示される第２表示枠と、
前記第１表示枠の右側に配置され前記リスト枠が選択決定されたときにさらに選択可能となる複数の操作ボタンが表示される第３表示枠と、
を有し、
前記第３表示枠には、選択決定された前記多重表示態様のリスト枠の録画番組に対して同一シリーズの複数の録画番組の一括削除を指令する操作ボタンが表示されていることを特徴とする請求項４〜７の何れかに記載の録画番組管理装置。
【請求項９】
前記第１リスト表示画面および前記第２リスト表示画面は、
横長の前記リスト枠が縦方向に複数並べられた第１表示枠と、
この第１表示枠の上側に配置され選択された前記リスト枠の録画番組の詳細情報が表示される第２表示枠と、
前記第１表示枠の右側に配置され前記リスト枠が選択決定されたときにさらに選択可能となる複数の操作ボタンが表示される第３表示枠と、
を有し、
前記第３表示枠には、前記第１リスト表示画面と前記第２リスト表示画面との切り換えを指令する操作ボタンが表示されていることを特徴とする請求項４に記載の録画番組管理装置。
【発明の詳細な説明】
【技術分野】
【０００１】
この発明は、ＨＤＤレコーダなどの録画機器において録画番組の情報をユーザに選択可能な状態で表示させる録画番組管理装置に関する。
【背景技術】
【０００２】
近年、放送番組の録画機器では録画データを保存するのに大容量のＨＤＤ（ハードディスク）等を使用することによって、非常に多数の録画番組を保存することが可能となっている。録画番組を再生する場合には、録画番組を示すタイトルやサムネイルなどの情報を画面に表示させ、それをユーザが選択するようにするのが一般的である。
【０００３】
従来、録画番組の情報をユーザに提示して選択させるのに有用な技術が、特許文献１や特許文献２に開示されている。特許文献１には、録画済みのコンテンツを一覧表で表示するとともに、シリーズコンテンツについては複数のコンテンツを１件にまとめて表示することが開示されている。特許文献２には、番組の再生範囲を時間軸上にハッチングで示した図形状の再生履歴情報を、録画番組のタイトル情報の表示領域に重ねて表示させることで表示領域の有効利用を図る技術が開示されている。
【特許文献１】特開２００４−３４３５２０号公報
【特許文献２】特開２００４−１４７３０３号公報（第７頁、第３図）
【発明の開示】
【発明が解決しようとする課題】
【０００４】
一般的な録画機器においても、近年の記憶媒体の大容量化に伴い、保存できる録画番組数は例えば５００個を超える場合があるなど非常に大きな数になっている。録画番組を確認するときには、例えば録画番組のタイトルなどをリスト表示してユーザにより選択可能な状態にするが、録画番組が１００個や２００個もある場合、録画番組のリスト表示は１画面で収まるはずもなく、数十ページや百ページ近くに及ぶこともある。
【０００５】
このように多数の録画番組が保存されている場合には、所望の録画番組を探しだすこと自体が煩雑な作業になってしまう。
【０００６】
この発明の目的は、非常に多数の録画番組が保存されている場合でも、再生する録画番組を効率良く探し出すことのできる録画番組管理装置を提供することにある。
【課題を解決するための手段】
【０００７】
本発明は、上記目的を達成するため、録画した放送番組の番組情報に基づいて録画番組の情報を選択可能な状態で表示させる表示制御手段を備えた録画番組管理装置であって、前記番組情報には、放送番組が何れかのシリーズ番組に属しているかおよび何のシリーズ番組に属しているかを識別するシリーズ識別情報が含まれ、前記表示制御手段は、複数のリスト枠を表示して各リスト枠の中に各録画番組の情報を表示するとともに、前記シリーズ識別情報に基づき同一シリーズの複数の録画番組が存在する場合に、これら複数の録画番組の情報を集約して１つの前記リスト枠に表示させ、且つ、このリスト枠を三次元的に複数のリスト枠を重ねた多重表示態様にする第１リスト表示画面を生成可能な構成とした。
【０００８】
さらに、多重表示態様のリスト枠が選択されてカーソル操作が行われた場合に、該リスト枠の情報が同一シリーズ中の他の録画番組の情報に切り換えられていく構成とした。
【０００９】
このような手段によれば、第１リスト表示画面により、同一シリーズの録画番組が一つにまとめられてリスト表示されるので、非常に多数の録画番組が保存されている場合に、リスト数を減らしてユーザが録画番組を探しやすいようにすることが出来る。また、同一シリーズの録画番組のリスト枠は多重表示態様にされているので、同一シリーズの複数の録画番組がまとめられていることをユーザに直感的に認識させることが出来る。
【００１０】
また、本発明は、上記目的を達成するため、録画した放送番組の番組情報に基づいて録画番組の情報を選択可能な状態で表示させる表示制御手段を備えた録画番組管理装置であって、前記番組情報には、放送番組が何れかのシリーズ番組に属しているか、および、何のシリーズ番組に属しているかを識別するシリーズ識別情報が含まれ、前記表示制御手段は、複数のリスト枠を表示して各リスト枠の中に各録画番組の情報を表示するとともに、前記シリーズ識別情報に基づき同一シリーズの複数の録画番組が存在する場合に、これら複数の録画番組の情報の各々を個々の前記リスト枠に表示させ、且つ、これらのリスト枠を三次元的に複数のリスト枠を重ねた多重表示態様にする第２リスト表示画面を生成可能な構成とした。
【００１１】
さらに、前記多重表示態様のリスト枠が選択されて所定の操作がなされた場合に、前記複数のリスト枠に選択された録画番組と同一シリーズの録画番組の情報のみが抽出されて前記複数のリスト枠に表示されるリスト表示に切り換えられる構成とした。
【００１２】
このような手段によれば、第２リスト表示画面により、どのような録画番組をどのくらい保存しているのか、おおよその見当が付いているようなヘビーユーザにとって、所望の録画番組をとても探し出しやすい画面とすることが出来る。
【００１３】
すなわち、例えば連続ドラマの３話前の番組を視聴したいようなときには、リスト表示をスクロールさせたり、リスト表示の頁を切り換えたりすることで、先ず、複数録画されている連続ドラマのうち何れかの回の録画番組を探しだす。例えば、録画日時順に録画番組がリスト表示されているなら、連続ドラマの最近の回を探し出したり、また、放送曜日が決まっているなら放送日を気にせずに曜日のみに着目してリスト表示を高速に切り換えることで、連続ドラマのうち何れかの回を高速に探しだすことが出来る。また、その際、多重表示態様のリスト枠のみに注目すれば良いのでより探しやすくなる。
【００１４】
連続ドラマの何れかの回が見つかったら、それを選択して所定操作を行うことで、連続ドラマのうち録画保存されている全ての回がリスト表示されるので、その中から所望の回すなわち３話前の回を選択することで、視聴したい回を効率良く探しだすことが出来る。
【００１５】
望ましくは、上記の手段において、前記第１リスト表示画面と前記第２リスト表示画面とを選択的に切換え可能とすると良い。
【００１６】
これにより、さほど録画番組を把握していないような一般ユーザには第１リスト表示画面を、ヘビーユーザには第２リスト表示画面を使用してもらうなど、さまざまなユーザの好みに対応することが出来る。
【００１７】
さらに望ましくは、前記第１リスト表示画面または前記第２リスト表示画面において、前記多重表示態様のリスト枠の中にシリーズ番組の通し番号の情報表示がなされると良い。
【００１８】
これにより、同一シリーズの録画番組がどのくらい保存されているのかユーザに容易に認識させることが出来て、視聴する録画番組を探す際の指標とさせることが出来る。
【００１９】
さらに望ましくは、前記第１リスト表示画面または前記第２リスト表示画面は、横長の前記リスト枠が縦方向に複数並べられた第１表示枠と、この第１表示枠の上側に配置され選択された前記リスト枠の録画番組の詳細情報が表示される第２表示枠と、前記第１表示枠の右側に配置され前記リスト枠が選択決定されたときにさらに選択可能となる複数の操作ボタンが表示される第３表示枠と、を有し、前記第３表示枠には、選択決定された前記多重表示態様のリスト枠の録画番組に対して同一シリーズの複数の録画番組の一括削除を指令する操作ボタンが表示されていると良い。
【００２０】
このような手段により、不要となった同一シリーズの録画番組を一括削除することが出来るので録画番組削除の管理がしやすくなる。
【００２１】
さらに、望ましくは、前記第３表示枠には、前記第１リスト表示画面と前記第２リスト表示画面との切り換えを指令する操作ボタンが表示されるようにすると良い。
【００２２】
このような手段により、録画番組の捜索時にも第１リスト表示画面と第２リスト表示画面とを適宜切り換えることが出来るので、両方を使い分けながら捜索を行うようなユーザにも対応することが出来る。
【発明の効果】
【００２３】
以上説明したように、本発明に従うと、百個オーダーの録画番組が保存され、録画番組情報をリスト表示させたときに数十ページにも渡ってしまうような場合でも、ユーザが所望の録画番組を効率良く探し出せるようにすることが出来るという効果がある。
【発明を実施するための最良の形態】
【００２４】
以下、本発明の実施の形態を図面に基づいて説明する。
【００２５】
図１は、本発明の実施の形態の録画番組管理装置を搭載した録画装置の全体構成を示すブロック図である。
【００２６】
この実施の形態の録画装置１は、例えば地上デジタル放送用のチューナを備えたハードディスクレコーダであり、アンテナ１０により受信した放送信号を選択的に入力するデジタルチューナなどの受信部１１と、放送データからコンテンツデータ（映像データおよび音声データ）と番組情報とを分離する番組情報分離部１２と、録画番組のコンテンツデータや録画番組の管理データなどを記録する記憶媒体としてのハードディスク１３と、録画時に受信部１１側から送られてくるコンテンツデータをハードディスク１３に書き込んだり再生時にハードディスク１３からコンテンツデータを読み出したりするコンテンツ制御部１４と、再生又は放送受信したコンテンツデータをデコードして映像信号と音声信号を生成するデコード部１５と、録画した放送番組の番組情報を管理してハードディスク１３に書き込んだり読み出したりする番組情報管理制御部１６と、該制御部１６から録画番組の管理データを受けて後述のメニュー画面や録画番組リストの表示画面の表示信号を生成するメニュー表示制御部１７と、デコード部１５やメニュー表示制御部１７からの表示信号を選択的に出力したり多重化して出力する多重化部１８等を備えている。これらの構成のうち、番組情報管理制御部１６とメニュー表示制御部１７により、本発明に係る表示制御手段が構成されている。表示データを生成する構成は主にＣＰＵが実行するソフトウェアにより構成され、それを表示信号に変換する構成はハードウェアにより構成されている。
【００２７】
コンテンツ制御部１４は、例えば、録画予約の制御や録画番組の削除処理（対象のコンテンツデータをハードディスク１３から消去する処理）なども行うようになっている。また、リアルタイム操作による録画時や予約録画時には、番組情報管理制御部１６に番組録画することを通知して録画番組の番組情報を管理データに追加させる。また、録画番組の削除処理を行ったときにも、番組情報管理制御部１６に削除したことを通知して、対応する録画番組の番組情報を管理データから削除させる。
【００２８】
また、図示は省略するが、この録画装置１には、リモートコントローラ（以下、リモコンと呼ぶ）と、このリモコンからの信号を受信する受光器が設けられ、リモコン信号が番組情報管理制御部１６やコンテンツ制御部１４に送られるようになっている。リモコンには、メニューボタン、カーソル移動用の上下左右ボタン、決定ボタンのほか、種々の操作ボタンが設けられている。
【００２９】
図２は、放送番組の番組情報の一例を示すデータチャートである。
【００３０】
番組情報管理制御部１６で管理される録画番組の番組情報は、デジタル放送信号に含まれる番組付帯情報から取得される。地上デジタル放送などでは、図２に示すように、トランスポートストリームと呼ばれるパケットデータにより、放送番組のコンテンツデータ（映像データや音声データ）が伝送されているが、トランスポートストリームのパケットには、放送番組の各種情報が格納された番組付帯情報も含まれている。
【００３１】
この番組付帯情報のパケットには、放送局や放送系列を示すデータ、放送時間を示したデータ、番組タイトルや番組の詳細情報（出演者やストーリ紹介など）を示したテキストデータ、連続ドラマや一連のスポーツ中継番組などシリーズ番組であることおよびそのシリーズ番組を識別するシリーズＩＤ（シリーズ識別情報）、シリーズ番組の何話目かを示すエピソード番号情報など、種々の番組情報が格納されている。
【００３２】
なお、録画番組の番組情報は、このトランスポートストリームの番組付帯情報から取得するのに限らず、例えば、放送信号やインターネットで配信されている電子番組表から録画した放送番組の番組情報を抽出することで取得するなど、種々の取得方法を適用することが出来る。
【００３３】
番組情報管理制御部１６は、上記の番組情報のうちコンテンツ制御部１４により録画記録された放送番組の番組情報を管理してハードディスク１３の所定領域に格納し、必要なときにそれを読み出して各番組情報の中から所定情報を抽出してリスト配列したり、メニュー表示制御部１７に情報を送って所定形態の表示データを生成させたりする。
【００３４】
以下、図３〜図７を参照しながら、上記の番組情報管理制御部１６とメニュー表示制御部１７により生成されるメニュー画面や録画番組リストの表示画面の内容について説明する。
【００３５】
図３は、録画番組管理表示のメニュー画面の一例を示す画像図、図４は、録画番組管理表示における第１実施形態の録画番組リストの表示例を示す画像図、図５は、この第１実施形態の録画番組リストでシリーズ番組内の選択を行うときの状態を説明する画像図である。
【００３６】
この実施の形態の録画装置１においては、ユーザが例えば再生のために所定の録画番組を捜す場合に、先ず、リモコンのメニューボタン等を押して所定操作を行うことで、図３のような録画番組管理表示のメニュー画面３０を表示させる。
【００３７】
このメニュー画面３０は、録画番組リストの表示方法をユーザに選択させる画面であり、複数の表示方式を選択させる複数の表示選択ボタン３１〜３７と、この画面を終了させる終了ボタン３８と、受け付けられるリモコンキーを示した説明表示３９とが、それぞれ表示されている。
【００３８】
表示選択ボタン３１〜３７には、例えば、録画日時順にリスト表示させる「通常の表示」の選択ボタン３１と、ジャンル別にリスト表示させるの選択ボタン３２と、放送ネットワーク別・放送局・系列局別にリスト表示させる選択ボタン３３と、番組タイトル名別にリスト表示させる選択ボタン３４と、放送時間帯別にリスト表示させる選択ボタン３５と、録画曜日別にリスト表示させる選択ボタン３６と、録画継続時間別にリスト表示させる選択ボタン３７とが設けられている。
【００３９】
この録画番組管理表示のメニュー画面３０において、ユーザがリモコンの上下ボタンを操作して何れかの選択ボタン３１〜３７を選択し、且つ、決定ボタンを押すことで、この選択決定したリスト表示画面に移行することが出来る。そして、例えば「通常の表示」の選択ボタン３１を押したときに、図４に示す、第１実施形態の録画番組リストの表示画面４０に移行する。
【００４０】
この第１実施形態の録画番組リストの表示画面４０は、図４に示すように、最上部に配置された表示画面のタイトル表示４１と、録画番組のリスト表示が行われる画面中央から左下隅まで占める第１表示枠４３と、この第１表示枠４３の上部に配置され選択された録画番組の詳細情報が表示される第２表示枠４２と、第１表示枠４３の右側に配置され録画番組を選択決定した場合に選択可能とされる操作ボタン４４ａ〜４４ｈが表示される第３表示枠４４とを備えたものである。
【００４１】
第１表示枠４３のリスト表示は、横長の複数のリスト枠４３ａ〜４３ｇを縦方向に配列するとともに、各リスト枠４３ａ〜４３ｇにそれぞれ番組情報の主要情報を表示するものである。リスト枠４３ａ〜４３ｇに表示される録画番組は録画日時順に配列され、ユーザはリモコンの上下ボタンを操作することで、リスト枠４３ａ〜４３ｇの選択を上下に移動させたり、リスト枠４３ａ〜４３ｇのページをスクロール或いはページ送りを行うことが出来る。選択されたリスト枠は文字と枠内の色が変ったり反転表示されたりすることでユーザが認識できるようにされる（図４ではハッチングにより選択状態を示している）。
【００４２】
さらに、この第１表示枠４３のリスト表示では、多数の録画番組のうちシリーズＩＤが同一である複数の録画番組は一つにまとめられて１つのリスト枠で表示されるようになっている。また、このように複数の録画番組がまとめられているリスト枠については、２つのリスト枠を３次元的に重ねた多重表示態様でリスト枠の表示がなされるようになっている。図４では、リスト枠４３ａ，４３ｂ，４３ｆが多重表示態様のリスト枠である。
【００４３】
図４と図５に示すように、多重表示態様のリスト枠が選択されている場合に、ユーザがリモコンの左右ボタンを操作すると、リスト枠のトップに表示される録画番組の情報が同一シリーズの複数の録画番組の中で順番に入れ替えられていくようになっている。すなわち、図４では多重表示態様のリスト枠４３ｆが選択され、最新の第５話目の情報がトップに表示されているが、リモコンの右ボタンを押すことで、図５に示すように、第４話目の情報がトップに表示される。さらに、リモコンの右ボタンを押すことで、第３話目や第２話目と表示が送られていくようになっている。
【００４４】
また、この第１表示枠４３においては、リスト表示の上部と下部に、上下ボタンにより選択やページの送りが出来ることを示す上下に向いた三角マークが表示され、多重表示態様のリスト枠の左右には、左右ボタンにより選択した録画番組の回数を切り換えられることを示す左右を向いた三角マークが表示されている。
【００４５】
リスト枠内には、例えば、未視聴の場合にそれを示す「ＮＥＷ」の表示や、録画日時、番組タイトルなど、録画番組の主要情報が表示される。また、同一シリーズ番組がまとめられている多重表示態様のリスト枠には、まとめられている番組の数とトップに来ている録画番組の回数番号（若い順）とを示す番号表示（図４のリスト枠４３ｆでは「１／５」）が表示されている。
【００４６】
また、第２表示枠４２の詳細情報には、選択されている録画番組の詳細情報に加えて、多重表示態様のリスト枠が選択されている場合に、そのシリーズ名や同一シリーズの録画番組の総数の表示など、シリーズ番組に関する情報表示を行うようにしても良い。
【００４７】
第３表示枠４４の操作ボタン４４ａ〜４４ｈは、リスト枠４３ａ〜４３ｇの何れかを選択してリモコンの決定ボタンを押した際に、カーソルのフォーカスが移行されて選択可能になるものである。操作ボタン４４ａ〜４４ｈには、選択決定され録画番組を再生させる操作ボタン４４ａと、多重表示態様のリスト枠が選択決定されている場合に同一シリーズの複数の録画番組を連続再生する操作ボタン４４ｂと、簡単に削除されないように選択決定されている録画番組にロックを掛ける操作ボタン４４ｃと、選択決定されている録画番組を削除する操作ボタン４４ｄと、多重表示態様のリスト枠が選択決定されている場合に同一シリーズの複数の録画番組を一括削除する操作ボタン４４ｅと、カーソルのフォーカスを第１表示枠４３に戻す操作ボタン４４ｆと、録画番組管理画面の表示を終了する操作ボタン４４ｈ等が含まれる。
【００４８】
なお、連続再生の操作ボタン４４ｂを選択決定したときには、同一シリーズの複数の録画番組を古い順に一番最初から連続再生するようにしても良いし、或いは、多重表示態様のリスト枠のトップに選択されている回から古い順に連続再生するようにしても良い。
【００４９】
また、この実施例の表示画面において、第３表示枠４４の上部には、選択されている録画番組が、番組リストにある録画番組のトータル数のうち何番目の番組かを示す番号表示（図４では「２２／４７２」）がなされている。この番号表示はどの表示枠に表示されていても良い。
【００５０】
この第１実施形態の録画番組リストによれば、同一シリーズの録画番組が一つにまとめられてリスト表示されるので、非常に多数の録画番組が保存されている場合に、リスト数を減らしてユーザが録画番組を探しやすく出来る。また、同一シリーズの録画番組のリスト枠は多重表示態様にされているので、同一シリーズの複数の録画番組がまとめられていることをユーザに直感的に認識させることが出来る。
【００５１】
図６には、録画番組管理表示における第２実施形態の録画番組リストの表示画像図を、図７には、第２実施形態の録画番組リストからシリーズ番組内の選択を行うときの状態を説明する画像図を示す。
【００５２】
この第２実施形態の録画番組リストも、第１実施形態と同様に、図３のメニュー画面３０において「通常の表示」の選択ボタン３１を選択決定したときに表示されるものである。
【００５３】
この第２実施形態の録画番組リストの表示画面４０Ａは、録画番組のリスト表示が行われる第１表示枠５３の構成が第１実施形態と異なり、その他は、第１実施形態とほぼ同様のものである。
【００５４】
この第２実施形態において、第１表示枠５３のリスト表示は、横長の複数のリスト枠５３ａ〜５３ｇを縦方向に配列するとともに、各リスト枠５３ａ〜５３ｇにそれぞれ番組情報の主要情報を表示するものである。リスト枠５３ａ〜５３ｇに表示される録画番組は録画日時順に配列され、ユーザはリモコンの上下ボタンを操作することで、リスト枠５３ａ〜５３ｇの選択を上下に移動させたり、リスト枠５３ａ〜５３ｇのスクロール或いはページ送りを行うことが出来る。
【００５５】
さらに、この第１表示枠５３のリスト表示では、多数の録画番組のうち他に同一のシリーズＩＤを有する録画番組が存在する番組、すなわち、同一シリーズの録画番組が複数保存されている録画番組については、３次元的に２つのリスト枠を重ねた多重表示態様でリスト枠の表示がなされるようになっている。第１実施形態の場合と異なり、同一シリーズの複数の録画番組は、１つにまとめられることなく、それぞれが個々のリスト枠に表示される。
【００５６】
また、このリスト表示においては、多重表示態様のリスト枠を選択した状態でユーザがリモコンの決定ボタンを押すと、図７に示すように、選択決定された録画番組の同一シリーズの録画番組のみが抽出されてリスト表示される態様に変更される。すなわち、図６の選択状態で決定ボタンを押すと、選択決定された「サッカー・Ｊリーグ中継」と同一シリーズの録画番組のみが抽出されて、図７のようにこれらが第１表示枠５３のリスト枠５３ａ…に表示される。
【００５７】
この状態で、何れかの録画番組を選択決定して、第３表示枠４４の操作ボタンを押すことで、該当の録画番組や番組シリーズの操作を行うことが出来る。また、「戻る」の操作ボタン４４ｆを押すことで、再び図６のリスト表示に戻ることが出来る。
【００５８】
なお、図６から図７へのリスト表示の切換えは、例えばリモコンの左右ボタンなどその他のボタンを押すことで切り換わるようにし、決定ボタンが押された場合には第３表示枠４４にフォーカスが移るようにしても良い。
【００５９】
このような第２実施形態の録画番組リストによれば、どのような録画番組をどのくらい保存しているかおおよその見当が付いているようなヘビーユーザにとって、所望の録画番組をとても探し出しやすい画面とすることが出来る。
【００６０】
例えば、或るドキュメンタリー番組を視聴したいと思い、このドキュメンタリー番組はサッカー中継の後に放送していた筈だと分かっているような場合に、先ず、ユーザはリスト表示を高速にスクロールさせて複数あるサッカー中継のうち何れかを見つけて選択決定の操作を行う。特定のサッカー中継でなくサッカー中継ならどれでも良いので、この捜索は簡単である。するとサッカー中継のみのリスト表示がなされるので、そのうちのドキュメンタリー番組がおそらくやっていたであろう時期のサッカー中継を選択決定して「戻る」ボタン４４ｆを押す。すると、このサッカー中継の前後に録画した番組のリスト表示がなされるので、そこに捜しているドキュメンタリー番組があるかすぐ分かる。その画面になければ、放送時期が外れていたのだと分かるので、また、サッカー中継のリスト表示を頼りに放送時期を少しずらしてリスト表示を切り換えることで、すぐに捜しているドキュメンタリー番組に辿り付くことが出来る。その他、ヘビーユーザであれば、この録画番組リストを色々な方法で用いて録画番組を効率的に捜索することが出来る。
【００６１】
なお、第１実施形態の録画番組リストと第２実施形態の録画番組リストとをユーザにより切り換えられるようにすることも出来る。
【００６２】
図８は、第３実施形態として、第１実施形態の録画番組リストと第２実施形態の録画番組リストとを切換可能とした場合の表示画面４０Ｂを示す画像図である。
【００６３】
すなわち、図８の表示画面４０Ｂのように、第３表示枠４４の操作ボタンとして、第１表示枠６３の表示方法を図４の録画番組リストの表示から図６の録画番組リストの表示へ或いはその逆へ切り換える「表示切換」の操作ボタン４４ｇを設け、この操作ボタン４４ｇを選択決定することで、上記録画番組リストの表示が切り換えられるようにする。
【００６４】
このような第３実施形態の録画番組リストの表示画面４０Ｂによれば、ユーザの好みに合わせて録画番組リストの表示を切り換えて使用してもらうことが出来る。また、録画番組の捜索時にもリスト表示画面の切り換えが可能なので、両方のリスト表示画面を使い分けながら捜索を行うようなユーザにも対応することが出来る。
【００６５】
なお、本発明は、上記実施の形態に限られるものではなく、様々な変更が可能である。例えば、上記実施の形態では、メニュー画面から通常表示を選択することで、リスト表示画面に移行するようにしたが、メニュー画面を介さずに一発でリスト表示画面に移行するようにしても良い。また、リスト表示画面を出力させる操作はどのようなものであっても良い。また、上記実施の形態では、日付順に録画番組を並べたリスト表示に本発明を適用した例を示したが、例えば、番組のタイトルをあいうえお順に並べたリスト表示や、曜日順や時間順に並べたリスト表示、その他、種々の条件で並べたリスト表示において本発明を適用することも出来る。
【００６６】
その他、録画番組が保存される記憶媒体の種類、管理する番組情報を記録する媒体や記録方法など、実施の形態で示した具体的な構成は、発明の趣旨を逸脱しない範囲で適宜変更可能である。
【産業上の利用可能性】
【００６７】
本発明は、例えば、放送番組の録画機器に適用することが出来る。また、外部の録画機器を制御する機能を有したテレビ受像機やチューナ装置などの各種ＡＶ（オーディオビジュアル）装置に適用することも出来る。
【図面の簡単な説明】
【００６８】
【図１】本発明の実施の形態の録画番組管理装置を搭載した録画装置の全体構成を示すブロック図である。
【図２】放送番組の番組情報の一例を示すデータチャートである。
【図３】録画番組管理表示のメニュー画面の一例を示す画像図である。
【図４】録画番組管理表示における第１実施形態の録画番組リストの表示例を示す画像図である。
【図５】第１実施形態の録画番組リストでシリーズ番組内の選択を行うときの状態を説明する画像図である。
【図６】録画番組管理表示における第２実施形態の録画番組リストの表示例を示す画像図である。
【図７】第２実施形態の録画番組リストからシリーズ番組内の選択を行うときの状態を説明する画像図である。
【図８】第１実施形態の録画番組リストと第２実施形態の録画番組リストとを切換可能とした場合の表示例を示す画像図である。
【符号の説明】
【００６９】
１      録画装置
１２    番組情報分離部
１３    ハードディスク
１４    コンテンツ制御部
１６    番組情報管理制御部
１７    メニュー表示制御部
３０    メニュー画面
４０    録画番組リストの表示画面（第１リスト表示画面）
４０Ａ  録画番組リストの表示画面（第２リスト表示画面）
４２    第２表示枠
４３，５３，６３  第１表示枠
４３ａ〜４３ｇ，５３ａ〜５３ｇ，６３ａ〜６３ｇ  リスト表示枠
４４    第３表示枠
４４ｅ  シリーズ一括削除の操作ボタン
４４ｇ  表示切換の操作ボタン
【図１】
2007180966.tif 000003
【図２】
2007180966.tif 000004
【図３】
2007180966.tif 000005
【図４】
2007180966.tif 000006
【図５】
2007180966.tif 000007
【図６】
2007180966.tif 000008
【図７】
2007180966.tif 000009
【図８】
2007180966.tif 000010